(57)【特許請求の範囲】
【請求項１】
直管型のバルブの管軸方向の両端にそれぞれ口金が設けられて各口金にはそれぞれバルブの管軸方向に直交する方向であって互いに共通する方向に端子ピンが突設されたランプが接続される照明器具であって、
ランプの一方ずつの口金が電気的且つ機械的に接続される２個のソケットと、
各ソケットにそれぞれ電気的に接続されてランプを点灯させる点灯装置と、
点灯装置を収納するとともに各ソケットをそれぞれ保持する器具本体とを備え、
各ソケットは、それぞれ、絶縁材料からなり端子ピンが挿入されるピン挿入穴が設けられたソケット本体と、点灯装置に電気的に接続されソケット本体に収納されてピン挿入穴から挿入された端子ピンに接触導通する導電ブロックと、ソケット本体を挟む配置で設けられてランプの口金を管軸方向に直交する方向の両側から弾性的に挟持する支持ばねとを有し、
各ソケットの支持ばねは、それぞれ、ランプの口金を挟持する方向から見て、ピン挿入穴の端部であって他方のソケットに近い側の端部に挿入された端子ピンが端子ピンの突出方向の逆方向へ変位する過程で位置しうる範囲には重ならないことを特徴とする照明器具。
【請求項２】
各ソケットの支持ばねは、それぞれ、ランプの口金を挟持する方向から見て、ピン挿入穴に対し端子ピンを抜く方向となる範囲には重ならないことを特徴とする請求項１記載の照明器具。
【発明の詳細な説明】
【技術分野】
【０００１】
本発明は、照明器具に関するものである。
【背景技術】
【０００２】
従来から、照明器具として、図６（ａ）（ｂ）及び図７に示すようなソケット３を備えるものが提供されている（例えば、特許文献１参照）。以下、上下左右は図６（ｂ）を基準とし、図６（ａ）の左右方向を前後方向と呼ぶ。
【０００３】
まず、上記ソケット３に接続されるランプ１について説明する。ランプ１は、中空の円柱形状のバルブ１０と、バルブ１０の管軸方向である左右方向の両端部にそれぞれ設けられバルブ１０に対して管軸方向に直交する方向であって互いに同じ突出方向である上方へ突出する口金１１とを有するランプ１に対応したものである。各口金１１には、それぞれ、導電材料からなりバルブ１０内の放電用電極（図示せず）に電気的に接続されソケット３の導電部に接触導通する端子ピン１１ａが、上記突出方向へ突設されている。
【０００４】
そして、ソケット３は、端子ピン１１ａが挿入されるピン挿入穴（図示せず）が下面に設けられたソケット本体３０と、板ばねからなり口金１１を管軸方向に直交する方向である前後方向から弾性的に挟持する支持ばね３１とを有する。ソケット本体３０は例えば合成樹脂のような絶縁材料からなり、ソケット本体３０内には、端子ピン１１ａに一対一に対応しピン挿入穴から挿入された端子ピン１１ａに接触導通する導電ブロック（図示せず）が収納されている。
【０００５】
支持ばね３１は、固定のための取付金具３２とともにねじＳ３によりソケット本体３０にねじ止め固定される本体部３１ａと、本体部３１ａの前後両端からそれぞれ下方へ突設されて下端部を前後に変位させるように弾性変形可能なばね部３１ｂとを有する。
【０００６】
各ばね部３１ｂの下端部には、それぞれ、ばね部３１ｂの他の部位よりも他方のばね部３１ｂに近づく方向に突出した係止凸部３１ｃが曲げ加工により形成されている。ランプ１の各口金１１の前後両面にはそれぞれ被係止凸部１１ｂが突設されており、端子ピン１１ａがピン挿入穴に完全に挿入された状態では各被係止凸部１１ｂがそれぞれ係止凸部３１ｃに係止される（つまり係止凸部３１ｃよりも上側に位置する）ことにより、ランプ１の下方への脱落が防止される。また、各被係止凸部１１ｂはそれぞれ上下方向の中央部へ向かって突出寸法を大きくするように傾斜しており、傾斜面に沿って被係止凸部１１ｂが変位することにより各ばね３１ｂがそれぞれ容易に弾性変形するから、図７に矢印Ａ１で示すような上下方向の力のみによってランプ１の口金１１を容易にソケット２に着脱することができる。
【０００７】
また、各ばね部３１ｂには、それぞれ上下に長く下方に開放された３本のスリット３１ｅが左右に並べて設けられており、各ばね部３１ｂはそれぞれ下端部がスリット３１ｅにより４又に分かれていて、これによってばね力が抑えられている。
【特許文献１】特開２００４−３６３０２９号公報
【発明の開示】
【発明が解決しようとする課題】
【０００８】
上記従来例では、支持ばね３１による挟持方向である前後方向から見て支持ばね３１がソケット本体３０を略覆う形状であったため、図８に示すように、端子ピン１１ａをピン挿入穴に挿入する際や端子ピン１１ａをピン挿入穴から抜いた直後に支持ばね３１が端子ピン１１ａに当ってしまいやすかった。そして、支持ばね３１が端子ピン１１ａに当ると、支持ばね３１や端子ピン１１ａに変形などの損傷が発生しやすかった。
【０００９】
本発明は、上記事由に鑑みて為されたものであり、その目的は、端子ピンと支持ばねとの接触による損傷が発生しにくい照明器具を提供することにある。
【課題を解決するための手段】
【００１０】
請求項１の発明は、直管型のバルブの管軸方向の両端にそれぞれ口金が設けられて各口金にはそれぞれバルブの管軸方向に直交する方向であって互いに共通する方向に端子ピンが突設されたランプが接続される照明器具であって、ランプの一方ずつの口金が電気的且つ機械的に接続される２個のソケットと、各ソケットにそれぞれ電気的に接続されてランプを点灯させる点灯装置と、点灯装置を収納するとともに各ソケットをそれぞれ保持する器具本体とを備え、各ソケットは、それぞれ、絶縁材料からなり端子ピンが挿入されるピン挿入穴が設けられたソケット本体と、点灯装置に電気的に接続されソケット本体に収納されてピン挿入穴から挿入された端子ピンに接触導通する導電ブロックと、ソケット本体を挟む配置で設けられてランプの口金を管軸方向に直交する方向の両側から弾性的に挟持する支持ばねとを有し、各ソケットの支持ばねは、それぞれ、ランプの口金を挟持する方向から見て、ピン挿入穴の端部であって他方のソケットに近い側の端部に挿入された端子ピンが端子ピンの突出方向の逆方向へ変位する過程で位置しうる範囲には重ならないことを特徴とする。
【００１１】
この発明によれば、ピン挿入穴の端部であって他方のソケットに近い側の端部に挿入される端子ピンが、ピン挿入穴への挿抜方向へ変位する過程で支持ばねによる挟持方向に変位しても、支持ばねに当たることがないから、ランプの口金を挟持する方向から見て上記範囲に支持ばねが重なる場合に比べ、ソケットに対する口金の着脱時に端子ピンと支持ばねとの接触による損傷が発生しにくい。
【００１２】
請求項２の発明は、請求項１の発明において、各ソケットの支持ばねは、それぞれ、ランプの口金を挟持する方向から見て、ピン挿入穴に対し端子ピンを抜く方向となる範囲には重ならないことを特徴とする。
【００１３】
この発明によれば、端子ピンがピン挿入穴のどこに挿入される場合であっても、端子ピンが、ピン挿入穴への挿抜方向へ変位する過程で支持ばねによる挟持方向に変位したときに支持ばねに当たることがないから、ランプの口金を挟持する方向から見て支持ばねが上記範囲に重なる場合に比べ、ソケットに対する口金の着脱時に端子ピンと支持ばねとの接触による損傷が発生しにくい。
【発明の効果】
【００１４】
請求項１の発明は、各ソケットの支持ばねが、それぞれ、ランプの口金を挟持する方向から見て、ピン挿入穴の端部であって他方のソケットに近い側の端部に挿入された端子ピンが端子ピンの突出方向の逆方向へ変位する過程で位置しうる範囲には重ならないので、ピン挿入穴の端部であって他方のソケットに近い側の端部に挿入される端子ピンが、端子ピンの突出方向及びその逆方向（ピン挿入穴への挿抜方向）へ変位する過程で支持ばねによる挟持方向に変位しても、支持ばねに当たることがないから、ランプの口金を挟持する方向から見て上記範囲に支持ばねが重なる場合に比べ、ソケットに対する口金の着脱時に端子ピンと支持ばねとの接触による損傷が発生しにくい。
【００１５】
請求項２の発明は、各ソケットの支持ばねが、それぞれ、ランプの口金を挟持する方向から見て、ピン挿入穴に対し端子ピンを抜く方向となる範囲には重ならないので、端子ピンがピン挿入穴のどこに挿入される場合であっても、端子ピンが、ピン挿入穴への挿抜方向へ変位する過程で支持ばねによる挟持方向に変位したときに支持ばねに当たることがないから、ランプの口金を挟持する方向から見て支持ばねが上記範囲に重なる場合に比べ、ソケットに対する口金の着脱時に端子ピンと支持ばねとの接触による損傷が発生しにくい。
【発明を実施するための最良の形態】
【００１６】
以下、本発明を実施するための最良の形態について、図面を参照しながら説明する。
【００１７】
本実施形態は、図２に示すように、従来例で説明したランプ１が取り付けられる照明器具であって、取り付けられるランプ１の管軸方向に長い形状の器具本体２と、器具本体２の長手方向の両端部にそれぞれ保持されたソケット３とを備える。器具本体２には、ランプ１を点灯させるための例えば周知の電子安定器のような点灯装置（図示せず）が収納されている。以下、上下方向は図２を基準とし、器具本体２の長手方向（ランプ１の管軸方向）を左右方向と呼び、上記の上下方向と左右方向とに直交する方向を前後方向と呼ぶ。つまり、ランプ１のバルブ１０に対して各口金１１及び端子ピン１１ａが突出する方向を上方向と呼ぶ。
【００１８】
器具本体２は、点灯装置が収納される収納凹部２１ａが下面に開口した直方体形状のボディ２１と、上面が開口した直方体形状であってボディ２１の下側に被着されて収納凹部２１ａを覆うカバー２２とからなる。
【００１９】
カバー２２の下面の左右両端部には、それぞれソケット３を露出させる露出穴２２ａが上下に貫設されており、各口金１１がそれぞれソケット３に接続されたランプ１のバルブ１０は、カバー２２の下側に位置する。そして、カバー２２の下面は、例えば白色の塗装により反射率を高められており、カバー２２はランプ１の光を配光する反射板として機能する。
【００２０】
ボディ２１の左右両端部であってソケット３よりも内側においてそれぞれ収納凹部２１ａの底面には、ねじ挿通穴（図示せず）が上下に貫設されており、このねじ挿通穴に挿通されて天井面等の施工面ＣＥに螺合するねじＳ１により、ボディ２１は施工面ＣＥにねじ止め固定される。
【００２１】
また、ボディ２１の収納凹部２１ａの底面において左右方向での中央部には、点灯装置への給電のために施工面ＣＥから引き出された電線ＰＬを挿通するための電線挿通穴（図示せず）が上下に貫設されている。
【００２２】
図３に示すように、ランプ１の各口金１１の上面には、それぞれ２本ずつの端子ピン１１ａが前後に並べて上方へ突設されており、各ソケット３は、それぞれ、１本ずつの端子ピン１１ａが挿入される２個のピン挿入穴３０ａが下面に開口した中空の直方体形状のソケット本体３０を有する。ソケット本体３０は、例えば合成樹脂のような絶縁材料からなる。また、各端子ピン１１ａがそれぞれ円柱形状であるのに対して各ピン挿入穴３０ａはそれぞれ左右に長い長方形状となっており、各端子ピン１１ａがそれぞれピン挿入穴３０ａに挿入された状態でもランプ１はソケット３に対して左右に僅かに変位可能となっている。さらに、ソケット本体３０には、それぞれ例えば金属のような導電材料からなりピン挿入穴３０ａから挿入された端子ピン１１ａに一対一に接触導通する２個の導電ブロック（図示せず）が収納されている。
【００２３】
さらに、各ソケット３は、それぞれ、図４（ａ）（ｂ）に示すように、例えば金属製の板ばねからなりランプ１の口金１１を管軸方向に直交する方向である前後方向（図４（ａ）での左右方向）から弾性的に挟持する支持ばね３１を有する。詳しく説明すると、支持ばね３１は、ソケット本体３０の上面に重ねられる本体部３１ａと、本体部３１ａの前後両端からそれぞれ下方に突設されて前後に対向し下端部を前後に変位させるように弾性変形可能であって下端部間にランプ１の口金１１を挟持する一対のばね部３１ｂとを有する。各ばね部３１ｂの下端部には、それぞれ、ばね部３１ｂの他の部位よりも他方のばね部３１ｂに近づく方向に突出した係止凸部３１ｃが曲げ加工により形成されている。ランプ１の各口金１１の前後両面にはそれぞれ被係止凸部１１ｂが突設されており、各端子ピン１１ａがそれぞれピン挿入穴３０ａに完全に挿入された状態では各被係止凸部１１ｂがそれぞれ係止凸部３１ｃに係止される（つまり係止凸部３１ｃよりも上側に位置する）ことにより、ランプ１の下方への脱落が防止される。また、各被係止凸部１１ｂはそれぞれ上下方向の中央部へ向かって突出寸法を大きくするように傾斜しており、傾斜面に沿って被係止凸部１１ｂが変位することにより各ばね３１ｂがそれぞれ容易に弾性変形するから、上下方向の力のみによってランプ１の口金１１を容易にソケット２に着脱することができる。
【００２４】
また、各ソケット３は、それぞれ、器具本体２への取付のための取付金具３２を有する。取付金具３２は、例えば金属板に打ち抜き加工と曲げ加工とを施すことによって形成され、厚さ方向を上下方向に向けて支持ばね３１の本体部３１ａの上側に重ねられる本体部３２ａと、本体部３２ａの左右両端からそれぞれ上方に突設され上端部が左右方向のうち本体部３２ａから離れる方向に曲がった断面逆Ｌ字形状の脚部３２ｂ，３２ｃとを有する。取付金具３２の本体部３２ａに上下に貫設されたねじ挿通穴（図示せず）と支持ばね３１の本体部３１ａに上下に貫設されたねじ挿通穴（図示せず）とに挿通されてソケット本体３０に螺合するねじＳ３により、ソケット本体３０と支持ばね３１と取付金具３２とは一体化されている。また、脚部３２ｂ，３２ｃのうち、他方のソケット３から離れた側（図４（ｂ）における左側）の一方の脚部３２ｂの上端部には、ねじ挿通穴３２ｄが上下に貫設されており、このねじ挿通穴３２ｄに挿通されたねじ（図示せず）により、ソケット３は器具本体２のボディ２１にねじ止めされる。さらに、他方の脚部３２ｃの先端からは、先部が左右方向のうち他方のソケット３に近づく方向に曲がったＬ字形状の取付部３２ｅが下方に突設されている。取付部３２ｅはソケット本体３０よりも下方に突出しており、取付部３２ｅの下端部には、カバー２２をねじ止めするためのねじ穴３２ｆが上下に貫設されている。すなわち、カバー２２の底面の長手方向の両端部であって露出穴２２ａよりも内側には、それぞれねじ挿通穴２２ｂが上下に貫設されており、このねじ挿通穴２２ｂに挿通されてソケット３のねじ穴３２ｆに螺合するねじＳ２により、カバー２２は各ソケット３に機械的に結合する。つまり、ボディ２１とカバー２２とはソケット３の取付金具３２を介して互いに連結されている。
【００２５】
また、各ソケット３の支持ばね３１には、それぞれ、左右方向から見てＵ字形状の支持ワイヤ３３の前後両端部がそれぞれ枢着されている。各支持ワイヤ３３は、ランプ１の下側とランプ１よりも左右方向の外側との間で下端部を変位させるように、器具本体２に対して回動可能となっている。すなわち、ランプ１の各口金１１をそれぞれソケット３に接続した後、各支持ワイヤ３３をそれぞれ下端部がランプ１の下側に至るように回動させておけば、支持ワイヤ３３によってランプ１の脱落を確実に防止することができる。
【００２６】
ここで、各ソケット３において、ばね部３１ｂの左右方向のうち他方のソケット３に近い側の端（図１における右端）は、ピン挿入穴３０ａの左右方向のうち他方のソケット３から離れた側の端（図１における左端）よりも左右方向のうち他方のソケット３から離れた側に位置している。つまり、支持ばね３１による挟持方向である前後方向から見て、支持ばね３１は、ピン挿入穴３０ａの下側（端子ピン１１ａを抜く方向）となる範囲に重ならない。これにより、例えば図１に示すように左側のソケット３においてピン挿入穴３０ａの左端部に端子ピン１１ａを挿入する場合であっても、端子ピン１１ａは支持ばね３１のばね部３１ｂの右端よりも右側に位置する。
【００２７】
上記構成によれば、支持ばね３１による挟持方向である前後方向から見て、ピン挿入穴３０ａの下側となる範囲に支持ばね３１が重ならないことにより、端子ピン１１ａがピン挿入穴３０ａのどこに挿入される場合であっても、端子ピン１１ａが、上下方向（ピン挿入穴３０ａへの挿抜方向）へ変位する過程で前後方向（支持ばね３１による挟持方向）に変位したときに支持ばね３１に当たることがないから、前後方向（ランプ１の口金１１を挟持する方向）から見て支持ばね３１が上記範囲に重なる場合に比べ、ソケット３に対する口金１１の着脱時に端子ピン１１ａと支持ばね３１との接触による損傷が発生しにくい。
【００２８】
なお、支持ばね３１のばね部３１ｂにおいて、左右の幅寸法や厚さ寸法を小さくすることなく、ばね力を抑えるには、図５に示すように貫通穴３１ｄを前後に貫設すればよい。この構成を採用すれば、従来例のようにばね部３１ｂの下端部をスリット３１ｅで分割してばね力を抑える場合に比べ、ばね部３１ｂに変形が発生しにくい。
【図面の簡単な説明】
【００２９】
【図１】本発明の実施形態とランプとの要部を示す正面図である。
【図２】同上とランプとを示す分解斜視図である。
【図３】同上とランプとの要部を示す斜視図である。
【図４】（ａ）（ｂ）はそれぞれ同上においてランプが接続された状態の要部を示し、（ａ）は一部破断した右側面図、（ｂ）は正面図である。
【図５】同上の別の形態にランプが接続された状態の要部を示す正面図である。
【図６】（ａ）（ｂ）はそれぞれ従来例においてランプが接続された状態の要部を示し、（ａ）は一部破断した右側面図、（ｂ）は正面図である。
【図７】同上とランプとの要部を示す正面図である。
【図８】従来例の課題を示す説明図である。
【符号の説明】
【００３０】
１  ランプ
２  器具本体
３  ソケット
１１  口金
１１ａ  端子ピン
３０  ソケット本体
３０ａ  ピン挿入穴
３１  支持ばね
【図１】
0004737152.tif 000002
【図２】
0004737152.tif 000003
【図３】
0004737152.tif 000004
【図４】
0004737152.tif 000005
【図５】
0004737152.tif 000006
【図６】
0004737152.tif 000007
【図７】
0004737152.tif 000008
【図８】
0004737152.tif 000009